(57)【要約】  トランプカードのゲーム性の要素を活用しつつ、点字を習得していない視覚障害者を含む幼児が、遊びながら“数を覚える”ことができるトランプカードを提供する。  異なる複数種類のスーツ１５と、１から所定数までの数字１３との組み合わせからなる複数枚のトランプカード１〜４である。各トランプカード１〜４毎に決められた数字１３を各トランプカード１〜４の表裏両面に表示する。且つ、各トランプカード１〜４毎に決められたスーツ１５を各トランプカード１〜４の数字１３と同数の数だけ各トランプカード１〜４の表裏両面に表示する。各トランプカード１〜４の表裏に表示されるスーツ１５は、そのスーツ１５の形状に開けられた同一の貫通孔で構成される。
2017130343.tif 000002
【特許請求の範囲】
【請求項１】
異なる複数種類のスーツと、１から所定数までの数字との組み合わせからなる複数枚のトランプカードであって、
各トランプカード毎に決められた数字を各トランプカードの表裏両面に表示し、且つ、各トランプカード毎に決められたスーツを各トランプカードの数字と同数の数だけ各トランプカードの表裏両面に表示することを特徴とするトランプカード。
【請求項２】
請求項１に記載のトランプカードであって、
各トランプカードの表裏両面のデザインは、同一であることを特徴とするトランプカード。
【請求項３】
請求項１に記載のトランプカードであって、
前記各トランプカードの表裏に表示されるスーツは、そのスーツの形状に開けられた貫通孔で構成されていることを特徴とするトランプカード。
【発明の詳細な説明】
【技術分野】
【０００１】
本発明は、数字の概念がまだ形成されていない視覚障害者を含む幼児が、トランプゲーム形式の遊びを通じて、数を学習するのに好適なトランプカードに関するものである。
【背景技術】
【０００２】
一般的なトランプカードは、良く知られているように、スペード、ハート、クラブ及びダイヤの４種類のスーツ（組）からなり、各スーツは１３枚のカードで構成されている。数とスーツが表示されたカードの表面はフェイスと呼ばれ、同一模様が表示されたカードの裏面はバックと呼ばれる。また、カードの長辺側はサイド（左サイド、右サイド）と呼ばれ、短辺側はエンド（前エンド、後エンド）と呼ばれる。【０００３】
通常のトランプカードでは、フェイスの左サイドの上方及び右サイドの下方に、各カードのスーツの図形と、そのカードのランクを表す数字（２〜１０）または記号（Ａ，Ｊ，Ｑ，Ｋ）とを組み合わせたインデックスが表示される。またフェイスの中央部分には、ランクが１〜１０のカードでは、ランクの数と同数のスーツの図形が表示され、またランクが１１，１２，１３のカードでは、ジャック、クイーン、キングの図形が夫々表示される。これら１１，１２，１３のカードは、絵札と呼ばれる。【０００４】
従来から、遊びを通じて学習効果を高めることを目的としたトランプカードが種々発明されている。特許文献１には、低学年児に加算・減算の概念を理解させるように工夫されたトランプカードが開示されている。また特許文献２には、ゲームを楽しみながら分数の理解度を深めるように工夫されたトランプカードが開示されている。また、視覚障害者も遊べるトランプカードとして、特許文献３には、カードの片面に点字が施されたトランプカードが開示されている。【０００５】
また従来、カードゲーム形式ではないが、幼児に数字を理解させる玩具として、例えば１０枚の矩形状の板を用意し、各板の一方の面にそれぞれ１〜１０の数字を表示し、他方の面に各数字に対応した数（１〜１０）の絵を表示し、これによって数字と絵の数とを見比べることで数字を理解する数字学習用玩具もある。
【先行技術文献】
【特許文献】
【０００６】
【特許文献１】特許第３７６８２７６号公報
【特許文献２】特開２００４−１６３７４３号公報
【特許文献３】特開平１０−１９２４７７号公報
【発明の概要】
【発明が解決しようとする課題】
【０００７】
しかしながら、一般的なトランプカードは、２から１０で示される数字のほか、４種類の記号および図形で示される数字が存在するため、数の基本概念を覚えていない幼児が、数を学習する目的で遊ぶには難解である。【０００８】
上記特許文献１，２で示されるトランプカードの場合、プレイヤーが数の基本概念を学習済みであることを前提として加算・減算や分数を学習するものであり、幼児教育における最初期の“数を覚える”という学習目的には合致していない。【０００９】
上記特許文献３で示されるトランプカードの場合も、既に数の基本概念を学習済みであることを前提として遊ぶものであり、またプレイヤーが点字を習得していることを前提に遊ぶものである。【００１０】
また上記カードゲーム形式ではない数字学習用玩具は、幼児が遊びながら“数を覚える”ことはできるが、トランプカードではないので、カードゲームの形態で得られるゲーム性の要素は少ない。このため、幼児が、より楽しく効果的に数字の基本概念を学習できる数字学習用玩具の出現が望まれていた。【００１１】
本発明は上述の点に鑑みてなされたものでありその目的は、トランプカードのゲーム性の要素を活用しつつ、点字を習得していない視覚障害者を含む幼児が、遊びながら容易に“数を覚える”ことができるトランプカードを提供することにある。
【課題を解決するための手段】
【００１２】
本発明は、異なる複数種類のスーツと、１から所定数までの数字との組み合わせからなる複数枚のトランプカードであって、各トランプカード毎に決められた数字を各トランプカードの表裏両面に表示し、且つ、各トランプカード毎に決められたスーツを各トランプカードの数字と同数の数だけ各トランプカードの表裏両面に表示することを特徴としている。
一般的なトランプカードの表裏を廃することで、カード面を気にする必要がなくなり、幼児によるトランプカード遊びが容易に行えるようになる。幼児の場合、自分の手の内を相手に知らせないようにしてゲームするという一般的なゲームの方法である必要はなく、相手に自分のトランプカードの内容が開示されていても、ゲームそのものを楽しむことができる。指導者や他の対戦相手が、ゲームのやり方等を幼児に教えながらゲームを行うような場合、その幼児の持っているトランプカードの内容を把握する必要があるが、幼児に対面する側にいてもそのトランプカードの内容を把握することができ、幼児への指導等を容易に行うことができ、ゲームのスムーズな進行を図ることができる。言い換えれば、ゲームをスムーズに進めることで、ゲームの楽しさを実感しながら、同時に“数”に触れることができるので、幼児に効果的に“数”の概念を教えることができる。【００１３】
前記各トランプカードの表裏両面のデザインは、これを同一にすることが好ましい。
これによって、見た目の上からも全く表裏がなくなり、カード面を全く気にする必要がなくなる。【００１４】
また前記各トランプカードの表裏に表示されるスーツは、そのスーツの形状に開けられた同一の貫通孔で構成されていることが好ましい。
くり抜き加工されたスーツを触ることで、視覚障害者もカードに書かれたスーツの種類と数を識別でき、カードゲームを楽しみながら、“数” の基本概念を学習することができる。
【発明の効果】
【００１５】
本発明によれば、トランプカードのゲーム性の要素を活用して遊びながら、幼児が効果的に容易に、数の概念を覚えることができる。
【図面の簡単な説明】
【００１６】
【図１】トランプカード１−１を示す平面図である。
【図２】トランプカード１−１を示す裏面図である。
【図３】トランプカード１−１を示す斜視図である。
【図４】トランプカード１−２を示す平面図である。
【図５】トランプカード１−２を示す裏面図である。
【図６】全てのトランプカード１〜４を示す図である。
【発明を実施するための形態】
【００１７】
以下、本発明の実施形態を図面を参照して詳細に説明する。
図１は本発明の一実施形態にかかるトランプカード１〜４（４０枚）の内の１枚のトランプカード１−１を示す平面図、図２はトランプカード１−１の裏面図、図３はトランプカード１−１の斜視図である。これらの図に示すように、トランプカード１−１は、矩形薄板状の合成樹脂板製又は紙板製の台紙１１の表裏面に、それぞれ一対の数字１３と、スーツ１５とを表示して構成されている。
【００１８】
ここで台紙１１は、例えばポリ塩化ビニールやポリエチレンテレフタレート等の合成樹脂の薄板によって形成されている。台紙１１の表裏面の、左サイドの上方と右サイドの下方には、それぞれこのトランプカード１−１の数字１３として、「１」が印刷等によって表示されている。また台紙１１の中央には、このトランプカード１−１のスーツ１５として、１つの円形の貫通孔が形成されている。スーツ１５は貫通孔なので、１つの貫通孔で、台紙１１の表裏面に、スーツ１５がそれぞれ表示されることとなる。スーツ１５の数が１つなのは、このトランプカード１−１の数字が「１」だからである。即ち、スーツ１５の数は、そのトランプカード１−１の数字の数と同一の数になるように形成されている。図１、図２に示すように、トランプカード１−１の表裏両面のデザインは同一である。従って、トランプカード１−１を裏返しても、同一の状態になる（言い換えれば、表裏がない）。
【００１９】
図４は、前記トランプカード１−１とは別のトランプカード１−２を示す平面図、図５はトランプカード１−２の裏面図である。これらの図に示すように、トランプカード１−２も、前記トランプカード１−１と同様に、矩形薄板状の合成樹脂板製又は紙板製の台紙１１の表裏面に、一対の数字１３と、スーツ１５とを表示して構成されている。
【００２０】
即ち、台紙１１の表裏面の、左サイドの上方と右サイドの下方には、それぞれこのトランプカード１−２の数字１３として、「２」が印刷等によって表示されている。また台紙１１の中央には、このトランプカード１−２のスーツ１５として、２つの円形の貫通孔が形成されている。スーツ１５の数が２つなのは、このトランプカード１−２の数字が「２」だからである。即ち、スーツ１５の数は、そのトランプカード１−２の数字の数と同一の数になるように形成されている。図４、図５に示すように、トランプカード１−２の表裏両面のデザインは同一である。
【００２１】
図６は、この実施形態にかかる全てのトランプカード１〜４を示す図である。同図に示すように、このトランプカード１〜４は、前述したスーツ１５である「円」の他、「正方形」、「正三角形」、「星形」の、全部で４種類のスーツ１５を具備している。同時に、４種類のトランプカード１〜４の各々について、１〜１０の数字のトランプカード１−１〜１０，２−１〜１０，３−１〜１０，４−１〜１０を具備し、これによって全部で４０枚となっている。図示はしていないが、各トランプカード１〜４について、それぞれに与えられた数字の数のスーツ１５が、貫通孔によって形成されている。例えばトランプカード４−１０には、１０個の貫通孔からなる星型の貫通孔が形成されている。
【００２２】
以上のように構成されているトランプカード１〜４を用いてゲームを行う例について説明する。“数”の概念を学習していない幼児の場合、例えば複数人でゲームを行う場合でも、相手の持っているトランプカードを意識することなく（勝ち負けを判断するには、通常、“数”の概念を知っていなければならないから）、ゲームを進める場合が多い。
【００２３】
即ち、幼児の場合、自分の手の内を相手に知らせないようにしてゲームするという一般的なゲームの方法である必要はなく、相手に自分のトランプカード１〜４の内容が開示されていても、ゲームそのものを楽しむことができる。指導者や他の対戦相手が、ゲームのやり方等を幼児に教えながらゲームを行うような場合、その幼児の持っているトランプカード１〜４の内容を把握する必要があるが、幼児に対面する側にいてもそのトランプカード１〜４の内容を把握することができ、幼児への指導等を容易に行うことができ、ゲームのスムーズな進行を図ることができる。言い換えれば、ゲームをスムーズに進めることで、ゲームの楽しさを実感しながら、同時に“数”に触れることができるので、幼児に効果的に“数”の概念を教えることができる。
【００２４】
また、一般的なトランプカードの表裏を廃し、各トランプカード１〜４の表裏両面のデザインを同一にしたので、見た目の上からも全くトランプカード１〜４の表裏がなくなり、ゲームを行う幼児が、カード面を全く気にする必要がなくなり、幼児によるトランプカード遊びがさらにスムーズに行えるようになる。
【００２５】
また上述のように、各トランプカード１〜４のスーツ１５は、各トランプカード１〜４の数と同じ個数のスーツ１５の形状の貫通孔によって構成されているので、視覚障害を有する幼児が、その数とスーツとを容易に認識することができる。従って、くり抜き加工されたスーツ１５を触ることで、視覚障害者もカードに書かれたスーツ１５の種類と数を識別でき、カードゲームを楽しみながら、“数” の基本概念を学習することができる。なおさらに、例えば数字を表示している部分等に、その数を示す点字を形成しておけば、数の概念と共に、点字の学習を行うこともできる。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では、スーツの種類を４種類としたが、２種類以上であれば何種類でも良く、要は異なる複数種類のスーツからなるトランプカードであれば良い。また上記例では、各スーツの種類毎に１０枚ずつのトランプカードを用意したが、各スーツ毎のトランプカードの枚数は、複数の所定枚数であれば何枚であっても良い。また各スーツの形状も上記実施形態に限定されず、他の各種形状であっても良い。またトランプカードに表示する数字とスーツの位置は、種々の変更が可能である。また視覚障害者を対象にしない場合は、トランプカードに表示するスーツとして貫通孔を設ける必要はなく、これを印刷等で表示しても良い。その場合も、トランプカードの表裏面に同一のスーツを表示する。また上記例では、各トランプカードの表裏両面のデザインを同一としたが、異なるデザインとしても良い。
【００２７】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００２８】
１（１−１〜１−１０）  トランプカード
２（２−１〜２−１０）  トランプカード
３（３−１〜３−１０）  トランプカード
４（４−１〜４−１０）  トランプカード
１１  台紙
１３  数字
１５  スーツ
【図１】
2017130343.tif 000003
【図２】
2017130343.tif 000004
【図３】
2017130343.tif 000005
【図４】
2017130343.tif 000006
【図５】
2017130343.tif 000007
【図６】
2017130343.tif 000008
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
異なる複数種類のスーツと、１から所定数までの数字との組み合わせからなる複数枚のトランプカードであって、
全てのトランプカードにおいて、各トランプカード毎に決められた数字を各トランプカードの表裏両面に表示し、
且つ、全てのトランプカードにおいて、各トランプカード毎に決められたスーツを各トランプカードの数字と同数の数だけ各トランプカードの表裏両面に表示することを特徴とする数字学習用のトランプカード。
【請求項２】
請求項１に記載のトランプカードであって、
前記全てのトランプカードにおいて、各トランプカードの表裏両面のデザインは、同一であることを特徴とする数字学習用のトランプカード。
【請求項３】
請求項１に記載のトランプカードであって、
前記全てのトランプカードにおいて、各トランプカードの表裏に表示されるスーツは、そのスーツの形状と同一の形状に開けられた貫通孔で構成されていることを特徴とする数字学習用のトランプカード。
【手続補正２】
【補正対象書類名】明細書
【補正対象項目名】０００３
【補正方法】変更
【補正の内容】
【０００３】
［００１１］
本発明は上述の点に鑑みてなされたものでありその目的は、トランプカードのゲーム性の要素を活用しつつ、点字を習得していない視覚障害者を含む幼児が、遊びながら容易に“数を覚える”ことができるトランプカードを提供することにある。
課題を解決するための手段
［００１２］
本発明は、異なる複数種類のスーツと、１から所定数までの数字との組み合わせからなる複数枚のトランプカードであって、全てのトランプカードにおいて、各トランプカード毎に決められた数字を各トランプカードの表裏両面に表示し、且つ、全てのトランプカードにおいて、各トランプカード毎に決められたスーツを各トランプカードの数字と同数の数だけ各トランプカードの表裏両面に表示することを特徴とする数字学習用のトランプカードである。
一般的なトランプカードの表裏を廃することで、カード面を気にする必要がなくなり、幼児によるトランプカード遊びが容易に行えるようになる。幼児の場合、自分の手の内を相手に知らせないようにしてゲームするという一般的なゲームの方法である必要はなく、相手に自分のトランプカードの内容が開示されていても、ゲームそのものを楽しむことができる。指導者や他の対戦相手が、ゲームのやり方等を幼児に教えながらゲームを行うような場合、その幼児の持っているトランプカードの内容を把握する必要があるが、幼児に対面する側にいてもそのトランプカードの内容を把握することができ、幼児への指導等を容易に行うことができ、ゲームのスムーズな進行を図ることができる。言い換えれば、ゲームをスムーズに進めることで、ゲームの楽しさを実感しながら、同時に“数”に触れることができるので、幼児に効果的に“数”の概念を教えることができる。
［００１３］
前記全てのトランプカードにおいて、各トランプカードの表裏両面のデザインは、これを同一にすることが好ましい。
これによって、見た目の上からも全く表裏がなくなり、カード面を全く気にする必要がなくなる。
［００１４］
また前記全てのトランプカードにおいて、各トランプカードの表裏に表示されるスーツは、そのスーツの形状に開けられた同一の貫通孔で構成されていることが好ましい。
【国際調査報告】
2017130343.tif 000009
2017130343.tif 000010
2017130343.tif 000011
2017130343.tif 000012